(57)【要約】【課題】押し込みの力を利用して磁気ディスクカートリッジを排出させるイジェクト機構を備えた磁気ディスクカートリッジのドライブ装置において、誤って磁気ディスクカートリッジが押し込まれることにより、記録あるいは再生が中断されることを防止する。【解決手段】円盤状の磁気ディスクメディア２１をケース２３内に回転可能に収容してなる磁気ディスクカートリッジ２０のドライブ装置１０であって、磁気ヘッド１５を、メディア２１の表面に対向させる記録／再生時位置と、該表面に対向しない位置まで退避させる退避位置との間で移動させる磁気ヘッド移動部材１３を設ける。そしてこの磁気ヘッド移動部材１３が記録／再生時位置に有るときは磁気ディスクカートリッジ２０の押し込みを妨げる位置を取り、該磁気ヘッド移動部材１３が退避位置に有るときはカートリッジ２０の押し込みを可能にする位置を取るイジェクト制限部材１７、１８を設ける。【選択図】　　　　　図１
2004022021.tif 000002
【特許請求の範囲】
【請求項１】
円盤状の磁気ディスクメディアを、ヘッド挿入用窓部を有するケース内に回転可能に収容してなる磁気ディスクカートリッジのドライブ装置であって、
前記磁気ディスクメディアに対して信号の記録および／または再生を行う磁気ヘッドと、
この磁気ヘッドを保持し、該磁気ヘッドを前記ケースのヘッド挿入用窓部を通して前記磁気ディスクメディアの表面に対向させる記録／再生時位置と、該表面に対向しない位置まで退避させる退避位置との間で移動する磁気ヘッド移動部材と、
前記記録および／または再生を行うための所定位置に配されている前記磁気ディスクカートリッジを、該磁気ディスクカートリッジが押し込まれるとこの所定位置から退出させるイジェクト機構とを備えてなる磁気ディスクカートリッジのドライブ装置において、
前記磁気ヘッド移動部材の移動と連係して、該磁気ヘッド移動部材が前記記録／再生時位置に有るときは前記磁気ディスクカートリッジの押し込みを妨げる位置を取り、該磁気ヘッド移動部材が前記退避位置に有るときは前記磁気ディスクカートリッジの押し込みを可能にする位置を取るイジェクト制限部材を備えたことを特徴とする磁気ディスクカートリッジのドライブ装置。
【発明の詳細な説明】
【０００１】
【発明の属する技術分野】
本発明は、磁気ディスクメディアをケース内に回転可能に収容してなる磁気ディスクカートリッジのドライブ装置に関し、特に詳細には、磁気記録および／または再生を行うための所定位置に配された磁気ディスクカートリッジを、それが押し込まれるとこの所定位置から退出させるイジェクト機構を備えたドライブ装置に関するものである。
【０００２】
【従来の技術】
従来、フレキシブルなポリエステルシート等からなる円盤状の支持体の両面に磁性体層が形成された可撓性磁気記録メディアを、例えば上下シェルハーフを接合してなる、磁気ヘッド挿入用の窓部を有するケース内に回転自在に収容してなる磁気ディスクカートリッジが提供されている。この種の磁気ディスクカートリッジは、その取扱いの容易性、低コストといった利点から、主としてコンピュータ用の記録媒体として用いられている。
【０００３】
上記構成の磁気ディスクカートリッジを駆動するドライブ装置は、一般に、磁気ディスクメディアに対して信号の記録および／または再生を行う磁気ヘッドと、この磁気ヘッドを保持し、該磁気ヘッドを前記ケースのヘッド挿入用窓部を通して前記磁気ディスクメディアの表面に対向させる記録／再生位置と、該表面から退避させる退避位置との間で移動するアーム等からなる磁気ヘッド移動部材とを備えたものとされる。
【０００４】
この磁気ディスクカートリッジのドライブ装置においては、記録および／または再生を行うための所定位置に配された磁気ディスクカートリッジを、この所定位置から退出させるイジェクト機構が設けられる。従来、このイジェクト機構としては、大別して２つのタイプのものが使用されている。一つは、上記所定位置に配されている磁気ディスクカートリッジあるいはイジェクトボタンが押し込まれると、その力を利用して機械的にこの所定位置から退出させるものである。また別のものは、上記所定位置に配されている磁気ディスクカートリッジを、電気的に駆動するアクチュエータを利用して該所定位置から退出させるものである。
【０００５】
【発明が解決しようとする課題】
上記２つのタイプのイジェクト機構のうち前者のものは、後者のものと比べると、アクチュエータが不要であることから安価に形成可能であるという利点を有している。このイジェクト機構においては、アクチュエータの作動待ち時間のようなものが無いので、磁気ディスクカートリッジあるいはイジェクトボタンを押し込むと直ちに磁気ディスクカートリッジが排出される。これは利点でもある半面、誤って磁気ディスクカートリッジを押してしまった際には直ちに記録あるいは再生が中断されてしまうという問題を抱えたものでもある。したがって、この磁気ディスクカートリッジが例えばビデオカメラや録音機の記録メディアとして利用されている場合には、大切な録画や録音のタイミングを逃してしまう、といった不都合も生じ得る。
【０００６】
本発明は上記の事情に鑑み、押し込みの力を利用して磁気ディスクカートリッジを排出させるイジェクト機構を備えた磁気ディスクカートリッジのドライブ装置において、誤って磁気ディスクカートリッジが押し込まれることにより記録あるいは再生が中断されることを防止することを目的とする。
【０００７】
【課題を解決するための手段】
本発明による磁気ディスクカートリッジのドライブ装置は、円盤状の磁気ディスクメディアを、ヘッド挿入用窓部を有するケース内に回転可能に収容してなる磁気ディスクカートリッジのドライブ装置であって、
前述の通りの磁気ヘッドと、
この磁気ヘッドを保持し、該磁気ヘッドを前記ケースのヘッド挿入用窓部を通して前記磁気ディスクメディアの表面に対向させる記録／再生時位置と、該表面に対向しない位置まで退避させる退避位置との間で移動するアーム等からなる磁気ヘッド移動部材と、
押し込みの力を利用して磁気ディスクカートリッジを排出させるイジェクト機構とを備えてなる磁気ディスクカートリッジのドライブ装置において、
前記磁気ヘッド移動部材の移動と連係して、該磁気ヘッド移動部材が前記記録／再生時位置に有るときは磁気ディスクカートリッジの押し込みを妨げる位置を取り、該磁気ヘッド移動部材が前記退避位置に有るときは磁気ディスクカートリッジの押し込みを可能にする位置を取るイジェクト制限部材を備えたことを特徴とするものである。
【０００８】
なお上記の磁気ヘッド移動部材は、記録／再生時位置と退避位置との間で、その他の位置を取るように形成されても構わない。そのような位置としては、例えば磁気ディスクメディアからその周外方に少し離れて、素早く記録／再生時位置に移行できるように待機している位置等が挙げられる。
【０００９】
【発明の効果】
本発明による磁気ディスクカートリッジのドライブ装置においては、磁気ヘッド移動部材の移動と連係して、該磁気ヘッド移動部材が記録／再生時位置に有るときは磁気ディスクカートリッジの押し込みを妨げる位置を取るイジェクト制限部材を備えたことにより、磁気ヘッドが磁気ディスクメディアの表面に対向して磁気記録あるいは再生がなされているときは、磁気ディスクカートリッジの押し込みが不可能になる。したがって、このときに誤って磁気ディスクカートリッジを押し込む操作がなされても磁気ディスクカートリッジは排出されず、よって、記録あるいは再生が中断されてしまうことがない。
【００１０】
また上記イジェクト制限部材は、磁気ヘッド移動部材が退避位置（磁気ヘッドを磁気ディスクメディアの表面に対向しない状態に設定する位置）に有るときは磁気ディスクカートリッジの押し込みを可能にする位置を取るから、記録あるいは再生が終了してから磁気ディスクカートリッジが押された際には、その押し込みが許容されて、磁気ディスクカートリッジが普通にイジェクトされるようになる。
【００１１】
【発明の実施の形態】
以下、図面を参照して本発明の実施の形態を詳細に説明する。
【００１２】
図１は、本発明の一実施の形態による磁気ディスクカートリッジのドライブ装置１０の平面形状を、天板を除いた破断状態で示すものである。このドライブ装置１０は、一例としてＰＣＭＣＩＡ（登録商標）タイプＩＩのＰＣカードサイズに形成され、パソコン（パーソナルコンピュータ）、ビデオカメラ等に形成されたカードスロットに挿入して使用するように形成されたものである。
【００１３】
図１は、このドライブ装置１０に磁気ディスクカートリッジ２０が装填された状態を示している。図示のようにこのドライブ装置１０は、上記天板と間隔を置いて平行に配された底板１１に対して、回動軸１２を中心に矢印Ａ方向に回動自在にして取り付けられた磁気ヘッドアーム１３を有している。磁気ヘッド移動部材としてのこの磁気ヘッドアーム１３は、図中手前側と奥方側とに二股に別れた部分１４を有し、これらの部分１４の内側にそれぞれ磁気ヘッド１５が取り付けられている。
【００１４】
さらにこのドライブ装置１０の底板１１には、回動軸１６を中心に矢印Ｂ方向に回動自在にして回動部材１７が取り付けられるとともに、図中上下方向に移動自在にしてスライド部材１８が取り付けられている。これらの回動部材１７およびスライド部材１８は、本発明におけるイジェクト制限部材を構成するものである。
【００１５】
一方、磁気ディスクカートリッジ２０は、例えば特願２００２−１１７８３８号明細書に示されているように、１．８インチタイプの円盤状のフレキシブル磁気ディスクメディア２１を、ヘッド挿入用窓部２２を有するケース２３内に回転可能に収容してなるものである。磁気ディスクカートリッジ２０の非使用時、上記ヘッド挿入用窓部２２はシャッター２４によって閉じられているが、磁気ディスクカートリッジ２０がカートリッジ受け入れ口１０ａから図中上方に挿し込んでドライブ装置１０に装填される際に、シャッター２４と連結している図示外のシャッター駆動部材がドライブ装置１０側のシャッター開部材に押されて駆動し、それによりシャッター２４が開かれて図１の状態となる。
【００１６】
なお、磁気ディスクカートリッジ２０が上述のようにドライブ装置１０に装填される前は、磁気ヘッドアーム１３は後述する図３に示す位置（退避位置）にあるが、磁気ディスクカートリッジ２０の装填後にドライブ装置１０に記録あるいは再生の指令が与えられると、磁気ヘッドアーム１３が図中反時計方向に回動して、図１に示すように磁気ヘッド１５を磁気ディスクメディア２１の表面に対向させる位置（記録／再生時位置）を取る。
【００１７】
ここでイジェクト制限部材を構成する回動部材１７は、図示しないバネによって図中時計方向に回動するように付勢されている。したがって、この回動部材１７に外力が作用しなければ該回動部材１７は図１に示すように、そのＬ字形の上端部がスライド部材１８の上端に当接する状態となる。
【００１８】
ドライブ装置の非使用時、磁気ヘッドアーム１３は図３に示す退避位置を取り、幅広に形成された後端部が回動部材１７の下端部を押圧する。それにより回動部材１７は、それが受けている付勢力に抗して図中反時計方向に回動し、図３に示す位置すなわち、そのＬ字形の上端部がスライド部材１８の上端から側方に退出した位置を取る。なおスライド部材１８は、図示しないバネによって図中下方に付勢されている。
【００１９】
磁気ヘッドアーム１３が図１に示す記録／再生時位置を取っている状態では、磁気ディスクメディア２１の表面に対向している磁気ヘッド１５を用いて、この磁気ディスクメディア２１に対する磁気記録あるいは再生がなされ得る。なお、図１における磁気ヘッドアーム１３の位置は、記録あるいは再生の進行にともなって磁気ヘッド１５の位置（磁気ディスクメディア２１の径方向位置）を変えるように変化するものである。
【００２０】
なお本実施の形態のドライブ装置１０は、記録／再生のデータ転送速度がインターフェイスのデータ転送速度より大である場合等に備えて、磁気ヘッドアーム１３が図２に示す待機位置を取るように構成されている。この状態では、磁気ヘッド１５を用いて磁気ディスクメディア２１に対する磁気記録あるいは再生を行うことは不可能であるが、次に記録あるいは再生の指令が与えられた際には、磁気ヘッドアーム１３が図１に示す記録／再生時位置に素早く移行できる。
【００２１】
磁気ヘッドアーム１３が図３に示す退避位置を取るのは、具体的には、このドライブ装置１０が例えばパソコンに用いられる場合は、ＥＯＦ（Ｅｎｄ　ｏｆ　Ｆｉｌｅ）信号が入力されたときであり、またビデオカメラに用いられる場合は、ＳＴＯＰボタンが押されたときである。
【００２２】
ドライブ装置１０は、装填している磁気ディスクカートリッジ２０がその後端面（図中の下端面）側から若干押し込まれると、その磁気ディスクカートリッジ２０を装置外に排出させる公知のイジェクト機構（図示せず）を備えている。したがって、記録あるいは再生が終了して、磁気ヘッドアーム１３が図３に示す状態になっているとき、磁気ディスクカートリッジ２０の後端面が押されると、その磁気ディスクカートリッジ２０が排出される。なおこの場合は、回動部材１７の上端部がスライド部材１８の上端から側方に退出しているので、スライド部材１８は押し込まれた磁気ディスクカートリッジ２０のケース２３の凸部２３ａに押されて上方に移動し、この押し込みを許容する。
【００２３】
その一方、磁気ヘッドアーム１３が図１に示す記録／再生時位置に有って磁気記録あるいは再生がなされているときに磁気ディスクカートリッジ２０の後端面が押されると、上記凸部２３ａがスライド部材１８の下端に当接し、そしてこのスライド部材１８の上方への移動は回動部材１７のＬ字形の上端部によって阻止されるので、該磁気ディスクカートリッジ２０を押し込むことができず、よってイジェクトはなされない。これは、磁気ヘッドアーム１３が図２に示す待機位置に有って磁気記録あるいは再生に備えているときも同様である。
【００２４】
なお上記実施の形態においては、イジェクト制限部材が回動部材１７およびスライド部材１８の２つの部材から構成されているが、このイジェクト制限部材は１つの部材から構成されても構わない。
【００２５】
また本発明のドライブ装置は、以上説明した１．８インチタイプのフレキシブル磁気ディスクカートリッジ２０に限らず、ハードディスクを用いる磁気ディスクカートリッジも含めて、その他のあらゆるタイプの磁気ディスクカートリッジを扱うドライブ装置に対して同様に適用可能である。
【図面の簡単な説明】
【図１】本発明の一実施の形態による磁気ディスクカートリッジのドライブ装置を示す一部破断平面図
【図２】図１のドライブ装置の別の状態を示す一部破断平面図
【図３】図１のドライブ装置のさらに別の状態を示す一部破断平面図
【符号の説明】
１０　　ドライブ装置
１３　　磁気ヘッドアーム
１５　　磁気ヘッド
１７　　回動部材
１８　　スライド部材
２０　　磁気ディスクカートリッジ
２１　　磁気ディスクメディア
２２　　ヘッド挿入用窓部
２３　　ケース
２４　　シャッター
【図１】
2004022021.tif 000003
【図２】
2004022021.tif 000004
【図３】
2004022021.tif 000005